(57)【要約】【課題】電源がオン状態にされた時刻に対応する時間帯においてチャンネルが選択されたことの情報が無い場合でも、視聴者の嗜好を十分に反映させた状態でチャンネルを選択することが可能な選局装置を提供する。【解決手段】このリモコン５０（選局装置）は、選択されたチャンネルの視聴頻度が記憶される記憶部６２と、電源ボタン５１がオン状態にされた時刻に対応する所定の時間帯に選択されたチャンネルがあったことの情報が記憶部６２に記憶されている場合、この所定の時間帯に選択されたチャンネルのうちの最も視聴頻度の高いチャンネルを選択し、所定の時間帯に選択されたチャンネルがあったことの情報が記憶部６２に記憶されていない場合、所定の時間帯よりも広い所定の範囲の時間帯において選択されたチャンネルのうちの最も視聴頻度の高いチャンネルを選択する制御部６１とを備える。【選択図】図６
2010263510.tif 000002
【特許請求の範囲】
【請求項１】
選択されたテレビ放送のチャンネルの視聴頻度が所定の時間帯毎に記憶される記憶部と、
電源がオン状態となった際に、前記電源がオン状態となった時刻に対応する前記所定の時間帯に選択されたチャンネルがあったことの情報が前記記憶部に記憶されている場合、前記記憶部に記憶されている前記電源がオン状態となった時刻に対応する前記所定の時間帯に選択されたチャンネルのうちの最も視聴頻度の高いチャンネルを選択し、前記電源がオン状態となった時刻に対応する前記所定の時間帯に選択されたチャンネルがあったことの情報が前記記憶部に記憶されていない場合、前記所定の時間帯よりも広い所定の範囲の時間帯において選択されたチャンネルのうちの最も視聴頻度の高いチャンネルを選択する制御部とを備える、選局装置。
【請求項２】
前記電源がオン状態となった際に、前記電源がオン状態となった時刻に対応する前記所定の時間帯に視聴されたチャンネルがあったことの情報が前記記憶部に記憶されていない場合、前記電源がオン状態となった曜日の全時間帯を通じて選択されたチャンネルのうちの最も視聴頻度の高いチャンネルが選択されるように構成されている、請求項１に記載の選局装置。
【請求項３】
各チャンネルを直接選択する第１チャンネル選択部と、選択可能なチャンネルが順番に選択される第２チャンネル選択部とをさらに備え、
前記制御部は、前記第１チャンネル選択部でチャンネルが選択された場合に選択された前記チャンネルの視聴頻度に加算するとともに、前記第２チャンネル選択部でチャンネルが選択された場合にも選択された前記チャンネルの視聴頻度に加算するように構成されている、請求項１または２に記載の選局装置。
【請求項４】
前記記憶部に、複数の週に渡って同じ曜日の同じ時間帯に同一のチャンネルが選択されていることが記憶されており、前記複数の週の同じ曜日の同じ時間帯に選択されていたチャンネルが視聴されていない場合に、警報を発する警報部をさらに備える、請求項１〜３のいずれか１項に記載の選局装置。
【請求項５】
テレビジョン受信装置と、
前記テレビジョン受信装置に選択信号を送信するためのリモコンとをさらに備え、
前記記憶部および前記制御部は、前記リモコンに含まれており、
前記リモコンのチャンネルの選択動作に基づいてチャンネルの視聴頻度が前記リモコンの記憶部に記憶されるとともに、前記リモコンによる前記電源のオン動作時に前記リモコンの制御部により前記リモコンの記憶部に記憶された視聴頻度に基づいて、チャンネルの選択制御が行われるように構成されている、請求項１〜４のいずれか１項に記載の選局装置。
【請求項６】
前記制御部は、前記電源がオン状態となった際に、前記電源がオン状態となった時刻に対応する前記所定の時間帯に視聴されたチャンネルがあったことの情報が前記記憶部に記憶されておらず、前記所定の時間帯よりも広い前記所定の範囲の時間帯のうちに選択されたチャンネルがあったことの情報も前記記憶部に記憶されていない場合、特定のチャンネルを選択するように構成されている、請求項１〜５のいずれか１項に記載の選局装置。
【発明の詳細な説明】
【技術分野】
【０００１】
この発明は、選局装置に関し、特に、選択されたチャンネルが記憶されている選局装置に関する。
【背景技術】
【０００２】
従来、選択されたチャンネルが記憶されている選局装置が知られている（たとえば、特許文献１〜５参照）。
【０００３】
上記特許文献１には、一週間前の各曜日の所定の時間帯毎に選択されたチャンネルが記憶されたテーブルを備え、視聴者によって電源がオン状態にされた際に、電源がオン状態にされた時刻に対応する一週間前の曜日の時間帯に選択されたチャンネルが選択される受信機が開示されている。
【０００４】
また、上記特許文献２には、視聴者が所定の時間帯に規定の時間以上視聴したチャンネルを好みのチャンネルとして記憶するメモリを備え、視聴者の好みのチャンネルを自動的に選択するか、または番組開始時間であることを告知するテレビジョン受信装置の選局装置が開示されている。
【０００５】
また、上記特許文献３には、過去数週間において、同一の曜日の同時刻に所定の視聴頻度以上で選択されている高視聴頻度チャンネルがあるか否かを判定する判定手段を備え、判定手段により現時点の曜日、時刻に高視聴頻度チャンネルがあることが判定された場合に、高視聴頻度チャンネルの放送番組を自動録画するテレビ放送受信装置が開示されている。
【０００６】
また、上記特許文献４には、過去の数週間分の各曜日の所定の時間帯に選択されたチャンネルが記憶されたチャンネル記憶メモリを備え、電源がオン状態にされた際に、電源がオン状態にされた時刻に対応する一つ前の週の曜日の時間帯に選択していたチャンネルで受像を開始するテレビジョン受像機のチャンネル選択方式が開示されている。なお、上記特許文献４に記載のテレビジョン受像機のチャンネル選択方式では、視聴者が一つ前の週の所定の時間帯にＴＶ番組を視聴していない場合、特定のチャンネルか、または、電源がオフ状態にされた際に選択されていたチャンネルが受像されるように構成されている。
【０００７】
また、上記特許文献５には、過去の数週間分の各曜日の所定の時間帯に視聴されたチャンネルの視聴回数をカウントする制御部を備え、電源がオン状態にされた際に、電源がオン状態にされた時刻に対応する曜日の時間帯において視聴回数が最大のチャンネルを選択する選局装置が開示されている。なお、上記特許文献５に記載の選局装置では、電源がオン状態になった時刻に対応する曜日の時間帯において、各チャンネルの視聴回数が０である場合には、デフォルトのチャンネルか、または、電源がオフ状態にされた時刻に選択されているチャンネルが受像されるように構成されている。
【先行技術文献】
【特許文献】
【０００８】
【特許文献１】特開平８−３４０２７０号公報
【特許文献２】特開２００５−８６３２４号公報
【特許文献３】特開２００４−１８０３３８号公報
【特許文献４】特許第３０６３６５２号公報
【特許文献５】特開２０００−２８６７３５号公報
【発明の概要】
【発明が解決しようとする課題】
【０００９】
しかしながら、上記特許文献１に記載の受信機では、電源をオン状態にした時刻に対応する一週間前の曜日の時間に選択されたチャンネルがない場合についての動作が規定されていないので、電源をオン状態した時刻に対応する一週間前の曜日の時間に選択されたチャンネルがない場合には、電源をオン状態した際に視聴者の嗜好に沿うようにチャンネルを選択できない場合があるという問題点がある。
【００１０】
また、上記特許文献２に記載のテレビジョン受信装置の選局装置では、所定の時間帯に規定の時間以上視聴した好みのチャンネルがない場合についての動作が規定されていないので、電源がオン状態にされた時刻に対応する時間帯に好みのチャンネルがない場合には、視聴者の嗜好に沿うようにチャンネルを選択できない場合があるという問題点がある。
【００１１】
また、上記特許文献３に記載のテレビ放送受信装置では、各曜日の所定の時刻に高視聴頻度チャンネルがない場合には、自動録画が行われない。つまり、各曜日の所定の時刻に高視聴頻度チャンネルがない場合には、視聴者の嗜好に沿うように動作（選択）ができない場合があるという問題点がある。
【００１２】
また、上記特許文献４に記載のテレビジョン受像機のチャンネル選択方式では、視聴者が一つ前の週の所定の時間帯にＴＶ番組を視聴していない場合、特定のチャンネルか、または、電源がオフ状態にされた際に選択されたチャンネルが受像されるように構成されているので、視聴者の嗜好が十分に反映されない状態でチャンネルが選択される場合があるという問題点がある。
【００１３】
また、上記特許文献５に記載の選局装置では、電源がオン状態にされた時刻に対応する過去の数週間分の曜日の時間帯において、各チャンネルの視聴回数が０である場合には、デフォルトのチャンネルか、または、電源がオフ状態にされた際に選択されていたチャンネルが選択されるので、視聴者の嗜好が十分に反映されない状態でチャンネルが選択される場合があるという問題点がある。
【００１４】
この発明は、上記のような課題を解決するためになされたものであり、この発明の１つの目的は、電源がオン状態にされた時刻に対応する時間帯においてチャンネルが選択されたことの情報が無い場合でも、視聴者の嗜好を十分に反映させた状態でチャンネルを選択することが可能な選局装置を提供することである。
【課題を解決するための手段および発明の効果】
【００１５】
この発明の一の局面による選局装置は、選択されたテレビ放送のチャンネルの視聴頻度が所定の時間帯毎に記憶される記憶部と、電源がオン状態となった際に、電源がオン状態となった時刻に対応する所定の時間帯に選択されたチャンネルがあったことの情報が記憶部に記憶されている場合、記憶部に記憶されている電源がオン状態となった時刻に対応する所定の時間帯に選択されたチャンネルのうちの最も視聴頻度の高いチャンネルを選択し、電源がオン状態となった時刻に対応する所定の時間帯に選択されたチャンネルがあったことの情報が記憶部に記憶されていない場合、所定の時間帯よりも広い所定の範囲の時間帯において選択されたチャンネルのうちの最も視聴頻度の高いチャンネルを選択する制御部とを備える。
【００１６】
この一の局面による選局装置では、上記のように、電源がオン状態となった時刻に対応する所定の時間帯に選択されたチャンネルがあったことの情報が記憶部に記憶されていない場合、所定の時間帯よりも広い所定の範囲の時間帯において選択されたチャンネルのうちの最も視聴頻度の高いチャンネルを選択する制御部を備えることによって、電源がオン状態となった時刻に対応する所定の時間帯に選択されたチャンネルがあったことの情報が記憶部に記憶されていない場合でも、所定の時間帯よりも広い所定の範囲の時間帯において最も多く選択されているチャンネルが選択されるので、電源がオン状態にされた時刻に対応する時間帯においてチャンネルが選択されたことの情報が無い場合でも、視聴者の嗜好が十分に反映された状態でチャンネルを選択することができる。
【００１７】
上記一の局面による選局装置において、好ましくは、電源がオン状態となった際に、電源がオン状態となった時刻に対応する所定の時間帯に視聴されたチャンネルがあったことの情報が記憶部に記憶されていない場合、電源がオン状態となった曜日の全時間帯を通じて選択されたチャンネルのうちの最も視聴頻度の高いチャンネルが選択されるように構成されている。このように構成すれば、所定の時間帯において選択されたチャンネルがあったことの情報がない場合でも、電源がオン状態となった曜日において視聴者が最も好むチャンネルを容易に選択することができる。
【００１８】
上記一の局面による選局装置において、好ましくは、各チャンネルを直接選択する第１チャンネル選択部と、選択可能なチャンネルが順番に選択される第２チャンネル選択部とをさらに備え、制御部は、第１チャンネル選択部でチャンネルが選択された場合に選択されたチャンネルの視聴頻度に加算するとともに、第２チャンネル選択部でチャンネルが選択された場合にも選択されたチャンネルの視聴頻度に加算するように構成されている。このように構成すれば、各チャンネルを直接選択する場合および順番に選択する場合の両方の場合を考慮して、チャンネルの選択動作に基づいてより正確にそのチャンネルの視聴頻度を算出することができる。
【００１９】
上記一の局面による選局装置において、好ましくは、記憶部に、複数の週に渡って同じ曜日の同じ時間帯に同一のチャンネルが選択されていることが記憶されており、複数の週の同じ曜日の同じ時間帯に選択されていたチャンネルが視聴されていない場合に、警報を発する警報部をさらに備える。このように構成すれば、複数の週の同じ曜日の同じ時間帯に視聴していた番組を視聴者が見逃すのを警報部の警報により、容易に防ぐことができる。
【００２０】
上記一の局面による選局装置において、好ましくは、テレビジョン受信装置と、テレビジョン受信装置に選択信号を送信するためのリモコンとをさらに備え、記憶部および制御部は、リモコンに含まれており、リモコンのチャンネルの選択動作に基づいてチャンネルの視聴頻度がリモコンの記憶部に記憶されるとともに、リモコンによる電源のオン動作時にリモコンの制御部によりリモコンの記憶部に記憶された視聴頻度に基づいて、チャンネルの選択制御が行われるように構成されている。このように構成すれば、リモコン側で視聴頻度に基づく視聴者の嗜好を十分に反映させた選択制御を行うことができる。また、リモコンを、視聴者毎に保持させることによって、視聴者毎の嗜好をチャンネルの選択に反映させることができる。また、たとえばリモコンが、複数のテレビジョン受信装置の操作をすることが可能なリモコンである場合に、特定のテレビジョン受信装置に対するチャンネルの選択の情報だけでなく、他のテレビジョン受信装置に対するチャンネルの選択の情報も記憶部に記憶することができるので、視聴者の嗜好をより正確にチャンネルの選択に反映させることができる。
【００２１】
上記一の局面による選局装置において、好ましくは、制御部は、電源がオン状態となった際に、電源がオン状態となった時刻に対応する所定の時間帯に視聴されたチャンネルがあったことの情報が記憶部に記憶されておらず、所定の時間帯よりも広い所定の範囲の時間帯のうちに選択されたチャンネルがあったことの情報も記憶部に記憶されていない場合、特定のチャンネルを選択するように構成されている。このように構成すれば、電源がオン状態となった時刻に対応する所定の時間帯、および、所定の時間帯よりも広い所定の範囲の時間帯のうちに選択されたチャンネルがあったことの情報が記憶部に記憶されていない場合でも、たとえば特定のチャンネルとして視聴者の好みのチャンネル（放送局）を設定しておくことにより、視聴者の嗜好に応じた選択をすることができる。
【図面の簡単な説明】
【００２２】
【図１】本発明の一実施形態による液晶テレビジョンの全体構成を示した図である。
【図２】本発明の一実施形態によるリモコンの全体構成を示した図である。
【図３】本発明の一実施形態によるリモコンの構成を示したブロック図である。
【図４】本発明の一実施形態による記憶部に記憶されているチャンネルの選択履歴を示した図である。
【図５】本発明の一実施形態による記憶部に記憶されている連続視聴番組を示した図である。
【図６】本発明の一実施形態による液晶テレビジョンの電源がオン状態にされた際のチャンネルの選択を説明するためのフローチャートである。
【図７】本発明の一実施形態によるチャンネルが選択された場合の視聴頻度への加算動作を説明するためのフローチャートである。
【図８】本発明の一実施形態によるチャンネル入力ボタンによりチャンネルが直接選択された場合の視聴頻度への加算動作を説明するためのフローチャートである。
【図９】本発明の一実施形態によるチャンネルアップ／ダウンボタンによりチャンネルが選択された場合の視聴頻度への加算動作を説明するためのフローチャートである。
【発明を実施するための形態】
【００２３】
以下、本発明を具体化した実施形態を図面に基づいて説明する。
【００２４】
図１〜図５を参照して、本発明の一実施形態による液晶テレビジョン１００およびリモコン５０の構成について説明する。なお、本実施形態では、選局装置の一例であるリモコン５０に本発明を適用した場合について説明する。
【００２５】
本発明の一実施形態による液晶テレビジョン１００は、図１に示すように、テレビジョン本体１０と、テレビジョン本体１０の正面に設けられた映像表示部１１と、映像表示部１１の左右両側に設けられた音声出力部（スピーカ）１２とにより主に構成されている。また、液晶テレビジョン１００には、液晶テレビジョン１００をオン状態またはオフ状態にすることが可能な主電源１３と、リモコン５０からのリモコン信号（赤外線など）を受光する受光部１４とが設けられている。なお、液晶テレビジョン１００は、本発明の「テレビジョン受信装置」の一例である。
【００２６】
また、図２に示すように、リモコン５０は、液晶テレビジョン１００の主電源１３をオン状態またはオフ状態にすることが可能な電源ボタン５１と、テレビ番組のチャンネルナンバーを直接入力して選択するためのチャンネル入力ボタン群５２（チャンネル入力ボタン５３）と、現在選択されているチャンネルナンバーをアップ／ダウンさせることによって選択を行うための（視聴可能なチャンネルが順番に選択される）チャンネルアップ／ダウンボタン５４と、音量調節ボタン５５と、映像表示部１１によって液晶テレビジョン１００の諸設定を行わせるための操作ボタン群５６とが設けられている。なお、チャンネル入力ボタン５３およびチャンネルアップ／ダウンボタン５４は、それぞれ、本発明の「第１チャンネル選択部」および「第２チャンネル選択部」の一例である。また、チャンネルアップ／ダウンボタン５４は、アップボタン５４ａとダウンボタン５４ｂとを含む。また、リモコン５０には、リモコン５０の操作を液晶テレビジョン１００に伝えるためのリモコン信号（赤外線など）を発光する発光部５７が設けられている。また、リモコン５０には、後述する連続視聴番組に対応する曜日・時間になったことを知らせるアラームなどの警報が発せられるスピーカ５８が設けられている。なお、スピーカ５８は、本発明の「警報部」の一例である。
【００２７】
ここで、本実施形態では、図３に示すように、リモコン５０の内部には、制御部６１が設けられており、制御部６１は、チャンネル入力ボタン５３と、チャンネルアップ／ダウンボタン５４とに接続されている。また、制御部６１は、チャンネル入力ボタン５３と、チャンネルアップ／ダウンボタン５４とによってチャンネルが選択されたことの情報が記憶される記憶部６２に接続されている。なお、記憶部６２は、後述するリモコン５０の電源６６がオフ状態にされた際（電池切れの際など）にも記憶されている情報が消えないフラッシュメモリなどの不揮発性メモリであることが好ましい。また、制御部６１は、チャンネルが選択された時刻や、現在の時刻を参照するためのタイマー回路６３に接続されている。なお、リモコン５０は、複数の液晶テレビジョン１００の操作を行うことが可能なように構成されていてもよい。また、視聴者毎にリモコン５０を保持するようにしてもよい。
【００２８】
また、制御部６１は、連続視聴番組（たとえば過去５週間の同じ曜日の同じ時間帯に視聴されていた同一のチャンネル）が放送される時間を知らせるための信号を生成する音声信号回路６４に接続されている。また、本実施形態では、音声信号回路６４は、スピーカ５８に接続されており、リモコン５０のスピーカ５８から連続視聴番組が放送される時間にアラームなどの警報が発生するように構成されている。なお、スピーカ５８は、本発明の「警報部」の一例である。また、制御部６１は、通信（送信）モジュール６５に接続されており、リモコン５０のチャンネル入力ボタン５３が押された際に発生する選択信号などが制御部６１、通信（送信）モジュール６５および発光部５７（図２参照）を介して、液晶テレビジョン１００に送信されるように構成されている。また、制御部６１、記憶部６２、タイマー回路６３、音声信号回路６４および通信（送信）モジュール６５には、電源６６が接続されている。
【００２９】
また、図４に示すように、記憶部６２には、過去５週間分の各曜日の３０分毎の時間帯に選択されたチャンネルの選択履歴が選択されたチャンネルの視聴頻度とともに記憶されている。たとえば、月曜日の７時から７時３０分の間には、１ｃｈ、２ｃｈ、３ｃｈ、４ｃｈ・・・１０ｃｈが、それぞれ、１回、２回、１回、５回・・・２回づつ選択（視聴）されている。また、水曜日の７時から７時３０分の間には、テレビ放送が視聴されていない（全てのチャンネルが選択されていない：０回）。なお、図４には、１ｃｈ〜１０ｃｈまでの選択履歴が表示されているが、チャンネルとしては、地上デジタル放送、ＢＳ放送、ＣＳ放送など、液晶テレビジョン１００で受信可能な全てのチャンネルの選択履歴が記憶される。
【００３０】
また、図５に示すように、記憶部６２には、同じ曜日の同じ時間帯に５週間以上連続して同一のチャンネルが選択されている場合、同じ曜日の同じ時間帯に５週間以上連続して視聴されたチャンネルが、曜日および時間帯とともに連続視聴番組として記憶されている。たとえば、月曜日の２１時から２１時３０分の間には、８ｃｈが５週間以上連続して選択されている。
【００３１】
次に、図６を参照して、本実施形態によるリモコン５０の電源ボタン５１がオン状態にされた際のチャンネルの選択フローについて説明する。
【００３２】
図６に示すように、視聴者によりリモコン５０の電源ボタン５１がオン状態にされることにより、ステップＳ１において、リモコン５０の制御部６１（図３参照）は、リモコン５０の記憶部６２に記憶された過去５週間分のチャンネルの選択履歴（図４参照）を参照して、リモコン５０の電源ボタン５１がオン状態にされた時（曜日・時間帯）に選択されたチャンネル（ＣＨ）があるか否かを判断する。たとえば、リモコン５０の電源ボタン５１がオン状態にされた時が月曜日の７時から７時３０分の間の場合であれば、図４に示すチャンネルの選択履歴には、選択されたチャンネルがあったことの情報（選択された視聴頻度が１回以上）が記憶されている。この場合、ステップＳ２において、電源ボタン５１がオン状態にされた時（曜日・時間帯）に選択されたチャンネルのうち、最大の視聴回数（視聴頻度）のチャンネルが選択される。具体的には、月曜日の７時から７時３０分の間には、４ｃｈが最も多く（５回）選択されているので、４ｃｈが選択されるとともに、通信（送信）モジュール６５を介して、４ｃｈの選択信号が液晶テレビジョン１００に送信される。これにより、映像表示部１１には、４ｃｈの画像が映し出される。
【００３３】
ここで、本実施形態では、リモコン５０の電源ボタン５１がオン状態にされた時（曜日・時間帯）に選択されたチャンネルが無い場合（たとえば、電源ボタン５１がオン状態にされた時が水曜日の７時から７時３０分の場合）、ステップＳ３において、電源ボタン５１がオン状態にされた曜日の全時間帯（２４時間）を通じて選択されたチャンネルがあるか否かが判断される。ここで、選択されたチャンネルがある場合には、ステップＳ４において、電源ボタン５１がオン状態にされた曜日（２４時間）のうち、最大の視聴回数（視聴頻度）のチャンネルが選択される。具体的には、過去５週間のうちの水曜日の０時から２４時００分の間に選択されたチャンネルがあれば、ステップＳ４において、水曜日の０時から２４時００分の間に選択されたチャンネルのうち、最大の視聴回数（視聴頻度）のチャンネルが選択される。そして、通信（送信）モジュール６５を介して、最大の視聴回数（視聴頻度）のチャンネルの選択信号が液晶テレビジョン１００に送信される。これにより、映像表示部１１には、水曜日の０時から２４時００分の間に選択されたチャンネルのうち、最大の視聴回数（視聴頻度）のチャンネルの画像が映し出される。
【００３４】
また、本実施形態では、ステップＳ３において、リモコン５０の電源ボタン５１がオン状態にされた曜日の全時間帯（２４時間）を通じて選択されたチャンネルが無い場合には、ステップＳ５において、初期設定のチャンネルが選択される。なお、初期設定のチャンネルは、視聴者があらかじめ好みのチャンネル（放送局）を設定しておいてもよいし、固定した特定のチャンネル（１ｃｈや出荷時に設定されたチャンネルなど）でもよい。また、前回電源ボタン５１がオフ状態にされた際に、選択されていたチャンネルでもよい。
【００３５】
次に、図７〜図９を参照して、本実施形態によるチャンネルが選択された場合の視聴頻度への加算フローについて説明する。
【００３６】
図７に示すように、本実施形態では、視聴者によりリモコン５０の電源ボタン５１がオン状態にされた後、ステップＳ１１において、リモコン５０のチャンネル入力ボタン５３によって直接チャンネルが選択された場合、ステップＳ１２の選択チャンネルの第１記憶動作が行われる。
【００３７】
選択チャンネルの第１記憶動作では、図８に示すように、ステップＳ２１において、リモコン５０のチャンネル入力ボタン５３によって選択されたチャンネルナンバーが記憶部６２に仮に記憶される。
【００３８】
次に、ステップＳ２２において、リモコン５０のチャンネル入力ボタン５３によってチャンネルが選択されてから一定の時間（たとえば３分間）チャンネルが選択されなかった場合（視聴者が選択したチャンネルを視聴し続けた場合）、ステップＳ２３において、この選択されたチャンネルが、チャンネルが選択された曜日・時間帯の選択履歴（図４参照）に記憶（視聴頻度に加算）される。なお、チャンネル入力ボタン５３によってチャンネルが選択されてから一定の時間（３分間）以内に他のチャンネルが選択された場合には、記憶部６２に仮に記憶されたチャンネルは、選択履歴に記憶されずに（視聴頻度に加算されずに）、ステップＳ２１に戻って、現在選択されているチャンネルが記憶部６２に仮に記憶される。これにより、ザッピング（チャンネルを頻繁に変えること）を行うことにより、視聴者が視聴しようとしていないチャンネルが視聴頻度に加算されるのを抑制することが可能となる。
【００３９】
次に、図７に示すように、本実施形態では、ステップＳ１３において、リモコン５０のチャンネルアップ／ダウンボタン５４によってチャンネルが選択された場合、ステップＳ１４の選択チャンネルの第２記憶動作が行われる。なお、チャンネルアップ／ダウンボタン５４によって選択される前のチャンネルナンバーは、記憶部６２に記憶されている。
【００４０】
選択チャンネルの第２記憶動作では、図９に示すように、ステップＳ３１において、リモコン５０のチャンネルアップ／ダウンボタン５４によって選択される前の（最後に選択された）チャンネルナンバーを記憶部６２から取得する。次に、ステップＳ３２において、チャンネルアップ／ダウンボタン５４のうちのアップボタン５４ａによって選択された場合には、最後に選択されたチャンネルの次のチャンネルナンバーが記憶部６２に仮に記憶される。また、ステップＳ３２において、チャンネルアップ／ダウンボタン５４のうちのダウンボタン５４ｂによって選択された場合には、最後に選択されたチャンネルの１つ前のチャンネルナンバーが記憶部６２に仮に記憶される。
【００４１】
次に、ステップＳ３３において、チャンネルアップ／ダウンボタン５４によってチャンネルが選択されてから一定の時間（３分間）チャンネルが選択されなかった場合（視聴者が選択したチャンネルを視聴し続けた場合）、ステップＳ３４において、この選択されたチャンネルが、チャンネルが選択された曜日・時間帯の選択履歴（図４参照）に記憶（視聴頻度に加算）される。なお、チャンネルアップ／ダウンボタン５４によってチャンネルが選択されてから一定の時間（たとえば３分間）以内にチャンネルが選択された場合には、記憶部６２に仮に記憶されたチャンネルは、選択履歴に記憶されずに（視聴頻度に加算されずに）、ステップＳ３１に戻って、現在選択されているチャンネルが記憶部６２に仮に記憶される。これにより、ザッピング（チャンネルを頻繁に変えること）を行うことにより、視聴者が視聴しようとしていないチャンネルが視聴頻度に加算されるのを抑制することが可能となる。
【００４２】
次に、図７に示すように、ステップＳ１５において、電源ボタン５１がオン状態にされてから以降、または、選択操作が無くなってから以降、たとえば１０分間経過した場合（視聴者が選択したチャンネルを視聴し続けた場合）、ステップＳ１６において、最後に選択されたチャンネル（現在視聴しているチャンネル）が、現在の時間に対応する曜日・時間帯の選択履歴（図４参照）に記憶（視聴頻度に加算）される。これにより、長時間番組（たとえば２時間番組）を視聴している場合にも、現在視聴しているチャンネルが選択履歴の視聴頻度に加算される。
【００４３】
次に、ステップＳ１７において、電源ボタン５１がオフ状態にされれば、選択チャンネルの記憶動作は終了し、電源ボタン５１がオフ状態にされない間は、選択チャンネルの記憶動作が継続される。
【００４４】
なお、本実施形態では、液晶テレビジョン１００の電源がオフ状態にされている場合、図５に示す記憶部６２に記憶される連続視聴番組の曜日・時間に対応する曜日・時間になった時には、スピーカ５８（図２参照）によりアラームが鳴らされる。これにより、視聴者は、連続視聴番組が放送される時間になったことを認識することが可能となる。具体的には、図５に示すように、たとえば月曜日の２１時から２１時３０分の間に５週間連続して８ｃｈが選択されたことが記憶部６２に記憶されている場合、月曜日の２１時、もしくは、２１時になる少し前の時間にリモコン５０のスピーカ５８からアラームが鳴る。また、連続視聴番組が放送されることを知らせるアラームは、液晶テレビジョン１００の電源がオフ状態にされている場合のみならず、視聴者が連続視聴番組が放送される時間に連続視聴番組が放送されるチャンネル以外のチャンネルを選択している場合にも、アラームが鳴る。
【００４５】
本実施形態では、上記のように、リモコン５０の電源ボタン５１がオン状態にされた時刻（液晶テレビジョン１００の電源がオン状態になった時刻）に対応する時間帯に選択されたチャンネルがあったことの情報が記憶部６２に記憶されていない場合、電源ボタン５１がオン状態にされた曜日の全時間帯を通じて最も視聴頻度の高いチャンネルを選択する制御部６１を備えることによって、電源ボタン５１がオン状態にされた時刻に対応する所定の時間帯に選択されたチャンネルがあったことの情報が記憶部６２に記憶されていない場合でも、電源ボタン５１がオン状態にされた曜日の全時間帯を通じて最も多く選択されているチャンネルが選択されるので、電源ボタン５１がオン状態にされた時間帯においてチャンネルが選択されたことの情報が無い場合でも、視聴者の嗜好を十分に反映させたチャンネルを選択することができる。
【００４６】
また、本実施形態では、上記のように、制御部６１を、各チャンネルを直接選択するチャンネル入力ボタン５３でチャンネルが選択された場合に選択履歴の視聴頻度に加算するとともに、選択可能なチャンネルが順番に選択されるチャンネルアップ／ダウンボタン５４でチャンネルが選択された場合にも選択履歴の視聴頻度に加算するように構成することによって、各チャンネルを直接選択する場合および順番に選択する場合の両方の場合を考慮して、チャンネルの選択動作に基づいてより正確にそのチャンネルの視聴頻度を算出することができる。
【００４７】
また、本実施形態では、上記のように、記憶部６２に、過去５週間に渡って同じ曜日の同じ時間帯に同一のチャンネルが選択されていること（連続視聴番組）が記憶されており、連続視聴番組が現在視聴されていない場合に、アラームを発するスピーカ５８を備えることによって、連続視聴番組を視聴者が見逃すのをスピーカ５８から鳴るアラームにより、容易に防ぐことができる。
【００４８】
また、本実施形態では、上記のように、制御部６１および記憶部６２を、リモコン５０に含まれており、リモコン５０のチャンネルの選択動作に基づいてチャンネルの視聴頻度をリモコン５０の記憶部６２に記憶するとともに、リモコン５０による電源ボタン５１のオン動作時にリモコン５０の制御部６１によりリモコン５０の記憶部６２に記憶された視聴頻度に基づいて、チャンネルの選択制御を行うように構成することによって、リモコン５０側で視聴頻度に基づく視聴者の嗜好を十分に反映させた選択制御を行うことができる。また、リモコン５０を、視聴者毎に保持させることによって、視聴者毎の嗜好をチャンネルの選択に反映させることができる。また、リモコン５０が、複数の液晶テレビジョン１００の操作をすることが可能なリモコンである場合に、特定の液晶テレビジョン１００（たとえば、リビングにある液晶テレビジョン）に対するチャンネルの選択の情報だけでなく、他の液晶テレビジョン１００（たとえば、寝室にある液晶テレビジョン）に対するチャンネルの選択の情報も記憶部６２に記憶することができるので、視聴者の嗜好をより正確にチャンネルの選択に反映させることができる。
【００４９】
また、本実施形態では、上記のように、制御部６１を、電源ボタン５１がオン状態にされた際、電源ボタン５１がオン状態にされた際に対応する所定の時間帯に視聴されたチャンネルがあったことの情報が記憶部６２に記憶されておらず、電源ボタン５１がオン状態にされた曜日の全時間帯を通じて選択されたチャンネルがあったことの情報も記憶部６２に記憶されていない場合、特定のチャンネルを選択するように構成する。これにより、たとえば特定のチャンネルとして視聴者の好みのチャンネル（放送局）を設定しておくことにより、視聴者の嗜好に応じた選択をすることができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、本発明の選局装置をリモコンに適用し、制御部と記憶部とがリモコンに含まれる例を示したが、本発明はこれに限らず、本発明の選局装置を液晶テレビジョンに適用し、制御部と記憶部とが液晶テレビジョンに含まれるようにしてもよい。また、本発明の選局装置を、プラズマ表示画面を有するプラズマテレビジョン、液晶プロジェクタ、カーナビゲーションシステムなど、液晶テレビジョン以外に適用してもよい。
【００５２】
また、上記実施形態では、５週間分の選択されたチャンネルの視聴頻度が記憶部に記憶されている例を示したが、本発明はこれに限らず、１週間分以上の選択されたチャンネルの視聴頻度が記憶部に記憶されていればよい。
【００５３】
また、上記実施形態では、３０分毎の時間帯毎に選択されたチャンネルの視聴頻度を記憶部に記憶する例を示したが、本発明はこれに限らず、３０分毎以外の時間毎（たとえば１５分毎）に選択されたチャンネルの視聴頻度を記憶部に記憶するようにしてもよい。また、時間帯を一定の時間（３０分毎など）に固定するのではなく、たとえば朝、昼、夜および深夜毎に選択されたチャンネルの視聴頻度が記憶される時間帯の広さを変えてもよい。
【００５４】
また、上記実施形態では、電源ボタンがオン状態にされた際に対応する時間帯に選択されたチャンネルがあったことの情報が記憶部に記憶されていない場合、電源ボタンがオン状態にされた曜日の全時間帯を通じて最も多く選択されているチャンネルを選択する例を示したが、本発明はこれに限らず、電源ボタンがオン状態にされた際に対応する時間帯に選択されたチャンネルがあったことの情報が記憶部に記憶されていない場合、電源ボタンがオン状態にされた曜日の全時間帯よりも短い時間（たとえば朝、昼、夜および深夜のそれぞれの時間帯毎）の間で最も多く選択されているチャンネルを選択してもよい。
【００５５】
また、上記実施形態では、本発明の警報部の一例としてスピーカを用いる例を示したが、本発明はこれに限らず、本発明の警報部の一例としてＬＥＤや振動モータを用いて、光や振動によって視聴者に警報を発してもよい。
【００５６】
また、上記実施形態では、視聴者によって選択されたチャンネルの視聴頻度が時間帯毎に記憶部に記憶される例を示したが、本発明はこれに限らず、視聴者によって選択されたチャンネルの視聴頻度とともに、視聴者によって選択された音量のレベルを時間帯毎に記憶部に記憶してもよい。これにより、電源ボタンがオン状態にされた際に視聴者の嗜好に応じたチャンネルが選択されるとともに、視聴者の嗜好に応じた音量に調節することができる。
【符号の説明】
【００５７】
５０  リモコン
５３  チャンネル入力ボタン（第１チャンネル選択部）
５４  チャンネルアップ／ダウンボタン（第２チャンネル選択部）
５８  スピーカ（警報部）
６１  制御部
６２  記憶部
１００  液晶テレビジョン（テレビジョン受信装置）
【図１】
2010263510.tif 000003
【図２】
2010263510.tif 000004
【図３】
2010263510.tif 000005
【図４】
2010263510.tif 000006
【図５】
2010263510.tif 000007
【図６】
2010263510.tif 000008
【図７】
2010263510.tif 000009
【図８】
2010263510.tif 000010
【図９】
2010263510.tif 000011